(57)【要約】【課題】複数のエアゾール容器をいっしょに携帯することができ、しかも、個々のエアゾール容器をハウジングに収納したまま複雑な操作を必要とせずに使用できるエアゾール容器の収納ケースを安価に提供する。【解決手段】エアゾール缶収納ケース300は、スパウト13を取り付けた３つエアゾール缶10を収納するハウジング210と、このハウジング310に着脱可能に取り付けられスパウト13を覆い隠すキャップ120とを備え、ハウジング310は、各エアゾール缶10を該容器10の胴体部分11まで取り込むハウジング本体310と、この本体310に繋がり各スパウト13をその先端を除いて取り囲むサイドカバー320とを備え、このカバー320に、各スパウト13の側面を同時または選択的に押圧傾倒させて該スパウトの先端から内容物を射出させる複数の押しボタンＢ3を設けてなる。ボタンＢ3は、カバー320に間隔を空けて２つのスリットＳを形成し、これらスリットＳの相互間に、カバー320に基部312ｒを介して一体に繋がる弾性片からなる。【選択図】図６
2005132464.tif 000002
【特許請求の範囲】
【請求項１】
スパウトを取り付けた複数のエアゾール容器を収納するハウジングと、このハウジングに着脱可能に取り付けられ前記スパウトを覆い隠すキャップとを備えたエアゾール容器の収納ケースであって、
前記ハウジングは、前記各エアゾール容器をその胴体部分まで取り入れるハウジング本体と、このハウジング本体に繋がり各スパウトをその先端を除いて取り囲むサイドカバーとを備え、このサイドカバーに、各スパウトの側面を同時または選択的に押圧傾倒させて該スパウトの先端から内容物を射出させる複数の押しボタンを設けてなることを特徴とするエアゾール容器の収納ケース。
【請求項２】
前記押しボタンは、前記サイドカバーに形成された隙間に別体に配置される押圧部材からなる請求項１に記載のエアゾール容器の収納ケース。
【請求項３】
前記押しボタンは、前記サイドカバーに間隔を空けて２つのスリットを形成し、これらスリットの相互間に、前記サイドカバーまたは前記ハウジング本体に基部を介して一体に繋がる弾性片からなる請求項１に記載のエアゾール容器の収納ケース。
【請求項４】
前記弾性片は、その基部に、前記スパウトの側面への押圧を補助する薄肉部を備える請求項３に記載のエアゾール容器の収納ケース。
【請求項５】
前記ハウジング本体の底部を該ハウジング本体に対して着脱自在に分割してなる請求項１乃至４のいずれか一項に記載のエアゾール容器の収納ケース。
【請求項６】
前記底部と前記ハウジング本体との相互間を着脱自在にアンダーカット嵌合させてなる請求項５に記載のエアゾール容器の収納ケース。
【請求項７】
前記底部と前記ハウジング本体との相互間を着脱自在に摩擦嵌合させてなる請求項５に記載のエアゾール容器の収納ケース。
【請求項８】
前記底部と前記ハウジング本体との相互間を着脱自在に連結するヒンジ部を設けてなる請求項５乃至７のいずれか一項に記載のエアゾール容器の収納ケース。
【請求項９】
前記サイドカバーを前記ハウジング本体に対して着脱自在に分割してなる請求項１乃至４のいずれか一項に記載のエアゾール容器の収納ケース。
【請求項１０】
前記サイドカバーと前記ハウジング本体との相互間を着脱自在にアンダーカット嵌合させてなる請求項９に記載のエアゾール容器の収納ケース。
【請求項１１】
前記サイドカバーと前記ハウジング本体との相互間を着脱自在に摩擦嵌合させてなる請求項９に記載のエアゾール容器の収納ケース。
【請求項１２】
前記各エアゾール容器は、前記ハウジングの軸線周りに沿う配列になる請求項１乃至１１のいずれか一項に記載のエアゾール容器の収納ケース。
【請求項１３】
前記各エアゾール容器は、互いに隣接させた直列配置になる請求項１乃至１１のいずれか一項に記載のエアゾール容器の収納ケース。
【発明の詳細な説明】
【技術分野】
【０００１】
スパウトを取り付けた複数のエアゾール容器を収納するハウジングと、このハウジングに着脱可能に取り付けられ前記スパウトを覆い隠すキャップとを備えたエアゾール容器の収納ケースに関するものである。
【背景技術】
【０００２】
従来、１種類ずつ別々に携帯していたエアゾール容器を１つで持ち運ぶためのエアゾール容器の収納ケースには、例えば、容器に取り付けたスパウト（ノズルヘッド）を押し下げてスパウトの先端から内容物を射出させる所謂プッシュダウンタイプのエアゾール容器を携帯するためのものがある（例えば、特許文献１参照。）。
【０００３】
【特許文献１】特開平１０−１５２１８０号公報
【発明の開示】
【発明が解決しようとする課題】
【０００４】
しかしながら、上記従来技術は、プッシュダウンタイプのエアゾール容器を用いるため、エアゾール容器をハウジングに収納したまま使用する際、ハウジングからノズルヘッドカバーを可動させてノズルヘッドから露出させる操作が必要となり不便であった。加えて、ノズルヘッドカバーをハウジングから移動させるための構造が必要となるため、ケースを構成する各パーツの金型構造が複雑になり、製造コストの点で改善の余地があった。
【０００５】
これに対し、スパウトの側面を押圧、傾倒させてスパウトの先端から内容物を射出する所謂チルトバルブタイプのエアゾール容器も既知である。そこで、本願発明者は、プッシュダウンタイプのエアゾール容器と機能が同一で操作方法の異なるチルトバルブタイプのエアゾール容器を着目するに至った。
【０００６】
本発明は、こうした事実に基づいてなされたものであり、複数のエアゾール容器をいっしょに携帯することができ、しかも、個々のエアゾール容器をハウジングに収納したまま複雑な操作を必要とせずに使用できるエアゾール容器の収納ケースを安価に提供することを目的とする。
【課題を解決するための手段】
【０００７】
請求項１に記載の発明は、スパウトを取り付けた複数のエアゾール容器を収納するハウジングと、このハウジングに着脱可能に取り付けられ前記スパウトを覆い隠すキャップとを備えたエアゾール容器の収納ケースであって、前記ハウジングは、前記各エアゾール容器をその胴体部分まで取り入れるハウジング本体と、このハウジング本体に繋がり各スパウトをその先端を除いて取り囲むサイドカバーとを備え、このサイドカバーに、各スパウトの側面を同時または選択的に押圧傾倒させて該スパウトの先端から内容物を射出させる複数の押しボタンを設けてなることを特徴とするものである。
【０００８】
請求項２に記載の発明は、請求項１に記載のケースにおいて、前記押しボタンが、前記サイドカバーに形成された隙間に別体に配置される押圧部材からなるものである。
【０００９】
請求項３に記載の発明は、請求項１に記載のケースにおいて、前記押しボタンが、前記サイドカバーに間隔を空けて２つのスリットを形成し、これらスリットの相互間に、前記サイドカバーまたは前記ハウジング本体に基部を介して一体に繋がる弾性片からなるものである。
【００１０】
請求項４に記載の発明は、請求項３に記載のケースにおいて、前記弾性片が、その基部に、前記スパウトの側面への押圧を補助する薄肉部を備えるものである。
【００１１】
請求項５に記載の発明は、請求項１乃至４のいずれか一項に記載のケースにおいて、前記ハウジング本体の底部を該ハウジング本体に対して着脱自在に分割してなるものである。
【００１２】
請求項６に記載の発明は、請求項５に記載のケースにおいて、前記底部と前記ハウジング本体との相互間を着脱自在にアンダーカット嵌合させてなるものである。
【００１３】
請求項７に記載の発明は、請求項５に記載のケースにおいて、前記底部と前記ハウジング本体との相互間を着脱自在に摩擦嵌合させてなるものである。
【００１４】
請求項８に記載の発明は、請求項５乃至７のいずれか一項に記載のケースにおいて、前記底部と前記ハウジング本体との相互間を着脱自在に連結するヒンジ部を設けてなるものである。
【００１５】
請求項９に記載の発明は、請求項１乃至４のいずれか一項に記載のケースにおいて、前記サイドカバーを前記ハウジング本体に対して着脱自在に分割してなるものである。
【００１６】
請求項１０に記載の発明は、請求項９に記載のケースにおいて、前記サイドカバーと前記ハウジング本体との相互間を着脱自在にアンダーカット嵌合させてなるものである。
【００１７】
請求項１１に記載の発明は、請求項９に記載のケースにおいて、前記サイドカバーと前記ハウジング本体との相互間を着脱自在に摩擦嵌合させてなるものである。
【００１８】
請求項１２に記載の発明は、請求項１乃至１１のいずれか一項に記載のケースにおいて、前記各エアゾール容器が、前記ハウジングの軸線周りに沿う配列になるものである。
【００１９】
請求項１３に記載の発明は、請求項１乃至１１のいずれか一項に記載のケースにおいて、前記各エアゾール容器が、互いに隣接させた直列配置になるものである。
【発明の効果】
【００２０】
請求項１に記載の発明は、スパウトを取り付けた複数のエアゾール容器を該容器の胴体部分まで取り入れるハウジング本体に繋がり各スパウトをその先端を除いて取り囲むサイドカバーを備えるから、複数のエアゾール容器をいっしょに携帯することができる。また、請求項１に記載の発明は、前記サイドカバーに、各スパウトの側面を同時または選択的に押圧、傾倒させて該スパウトの先端から内容物を射出させる複数の押しボタンを備えるから、個々のエアゾール容器をハウジングに収納したまま複雑な操作を必要とせずに使用できる。さらに、請求項１に記載の発明は、スパウトをハウジングから露出させるための構造が不要であるため、ケースを構成する各パーツの金型構造も簡素化され、製造コストの低減を図ることができる。
【００２１】
請求項２に係る発明は、請求項１に記載のケースにおいて、前記押しボタンが、前記サイドカバーに形成された隙間に別体に配置される押圧部材からなるから、ケースを構成するパーツ数が増えるものの、結果として、ケースを構成する各パーツの金型構造をさらに簡素化できるため、製造コストのさらなる低減が図れる。
【００２２】
請求項３に記載の発明は、請求項１に記載のケースにおいて、前記サイドカバーに間隔を空けて２つのスリットを形成し、これらスリットの相互間に、前記サイドカバーまたは前記ハウジング本体に基部を介して一体に繋がる弾性片を前記押しボタンとしたから、ケースを構成するパーツを最小限に抑えると共に、各パーツの金型構造をさらに簡素化できるため、製造コストのさらなる低減が図れる。
【００２３】
請求項４に記載の発明は、請求項３に記載のケースにおいて、前記弾性片が、その基部に、前記スパウトの側面への押圧を補助する薄肉部を備えるから、エアゾール容器から内容物を射出させるための操作を楽に行うことができる。
【００２４】
請求項５に記載の発明は、請求項１乃至４のいずれか一項に記載のケースにおいて、前記ハウジング本体の底部を該ハウジング本体に対して着脱自在に分割してなるため、底部を取り外してエアゾール容器を出し入れするだけでエアゾール容器の取り替えを容易に行うことができる。
【００２５】
請求項６に記載の発明は、請求項５に記載のケースにおいて、前記底部と前記ハウジング本体との相互間を着脱自在にアンダーカット嵌合させてなるから、前記底部と前記ハウジング本体との着脱を安価に実現できる。
【００２６】
請求項７に記載の発明は、請求項５に記載のケースにおいて、前記底部と前記ハウジング本体との相互間を着脱自在に摩擦嵌合させてなるから、前記底部と前記ハウジング本体との着脱をさらに安価に実現できる。
【００２７】
請求項８に記載の発明は、請求項５乃至７のいずれか一項に記載のケースにおいて、前記底部と前記ハウジング本体との相互間を着脱自在に連結するヒンジ部を設けてなるから、底部の紛失を防止することができる。
【００２８】
請求項９に記載の発明は、請求項１乃至４のいずれか一項に記載のケースにおいて、前記サイドカバーを前記ハウジング本体に対して着脱自在に分割してなるから、サイドカバーを取り外してエアゾール容器を出し入れするだけでエアゾール容器の取り替えを容易に行うことができる。
【００２９】
請求項１０に記載の発明は、請求項９に記載のケースにおいて、前記サイドカバーと前記ハウジング本体との相互間を着脱自在にアンダーカット嵌合させてなるから、前記サイドカバーと前記ハウジング本体との着脱を安価に実現できる。
【００３０】
請求項１１に記載の発明は、請求項９に記載のケースにおいて、前記サイドカバーと前記ハウジング本体との相互間を着脱自在に摩擦嵌合させてなるから、前記サイドカバーと前記ハウジング本体との着脱をさらに安価に実現できる。
【００３１】
請求項１２に記載の発明は、請求項１乃至１１のいずれか一項に記載のケースにおいて、前記各エアゾール容器が前記ハウジングの軸線周りに沿う配列になるから、携帯時に大きな収納スペースを必要としないため携帯性に優れ、またハウジング本体を握って使用できるため使い勝手がよい。
【００３２】
請求項１３に記載の発明は、請求項１乃至１１のいずれか一項に記載のケースにおいて、前記各エアゾール容器は、互いに隣接させた直列配置になるから、ハウジング本体に印刷面を大きく取ることができるため加飾に優れ、また複数のケースを携帯してもかさばらないため携帯性に優れる。
【発明を実施するための最良の形態】
【００３３】
以下、本発明の形態を、図面を用いて詳細に説明する。
【００３４】
図１は、本発明の第１の形態であるエアゾール缶１０の収納ケース１００を示す斜視分解図であり、図２は、そのケース１００を側面から示す要部断面図である。
【００３５】
まずエアゾール缶１０は、内容量１７ｍｌの小型エアゾール缶であって、図１に示す如く、内容物を充填した外径２０ｍｍの円筒形の胴体部分１１と、この胴体部分１１に傾倒自在に取り付けられたステム１２とを有し、このステム１２の先端に、スパウト１３が取り付けられている。即ち、エアゾール缶１０は、図２に示す如く、スパウト１３の側面を押圧してステム１１を傾倒させることにより、胴体部分１１に充填した内容物を、ステム１２を介してスパウト１３の射出口１３ａから外部に射出する所謂、チルトバルブタイプのものである。
【００３６】
ケース１００は、スパウト１３を取り付けた３つのエアゾール缶１０（図中は１つのみ開示。）を収納するハウジング１１０と、このハウジング１１０に着脱可能に取り付けられスパウト１３を覆い隠すキャップ１２０とを備える。またハウジング１１０は、各エアゾール容器１０をハウジングの軸線Ｏ周りに沿って配列してこれら容器１０をその胴体部分１１まで取り込むハウジング本体１１１と、このハウジング本体１１１に繋がり各スパウト１３をその先端を除いて取り囲むサイドカバー１１２とを備える。
【００３７】
サイドカバー１１２は、ハウジング本体１１１に第１の段差部１１２ａを介して繋がる第１の側壁１１２ｆ1と、この第１の側壁１１２ｆ1から第２の段差部１１２ｂを介して繋がる第２の側壁１１２ｆ2と、この第２の側壁１１２ｆ2に繋がる天面１１２ｃからなり、天面１１２ｃに、スパウト１３の先端１３ａを外部に開放してハウジング軸線Ｏに向かって延びる楕円形の開口Ａ1が形成されている。
【００３８】
サイドカバー１１２には、各スパウト１３の側面を選択的に押圧傾倒させて該スパウト１３の射出口１３ａから内容物を射出させる３つの押しボタンＢ1を設けてなる。この押しボタンＢ1は、第２の段差部１１２ｂに隙間Ｃを形成し、この隙間Ｃ内をスパウト１３の側面に向かって揺動自在に挿入配置される別体の押圧部材からなり、その側面の一部が突出して作動部Ｂ1(p)を構成する。具体的には、円周方向に配列された３つの押しボタンＢ1を連結（例えば、中間部位）して一体成形したパーツを、ハウジング本体１１１の内部から挿入し、隙間Ｃを介して外部に押しボタンＢ1の作動部Ｂ1(p)を露出させている。また押しボタンＢ1は第１の側壁１１２ｆ1の内壁面にその環状連結部がアンダーカット等の手段（図示せず）にて固定されている。この場合、使用者が３つの押圧部材Ｂ1の作動部Ｂ1(p)を同時または選択的にスパウト１３の側面に向けて押えると、押圧部材Ｂ1が図２に示すように、対応するスパウト１３の側面を押圧してステム１２を傾倒させるため、エアゾール缶１０をハウジング１１０から取り出すことなく、スパウト１３の先端から開口Ａ1を経て使用者が要求する内容物を射出させることができる。
【００３９】
即ちケース１００は、スパウト１３を取り付けた３つのエアゾール缶１０を該容器１０の胴体部分１１まで取り入れるハウジング本体１１１に繋がり各スパウト１３をその先端を除いて取り囲むサイドカバー１１２を備えるから、３つのエアゾール缶１０をいっしょに携帯することができる。また、ケース１００は、サイドカバー１１２に、各スパウト１３の側面を同時または選択的に押圧、傾倒させて該スパウト１３の先端から内容物を射出させる複数の押しボタンＢ1を備えるから、個々のエアゾール缶１０をハウジング１１０に収納したまま複雑な操作を必要とせずに使用できる。さらに、ケース１００は、スパウト１３をハウジング１１０から露出させるための構造が不要であるため、ケース１００を構成する各パーツの金型構造も簡素化され、製造コストの低減を図ることができる。
【００４０】
またケース１００は、押しボタンＢ1が、サイドカバー１１２に形成された隙間Ｃに別体に配置される押圧部材からなるから、ケース１００を構成するパーツが増えるものの、結果として、各パーツの金型構造をさらに簡素できるため、製造コストのさらなる低減が図れる。
【００４１】
ところで、本形態では、ハウジング本体１１１の底部１１３をハウジング本体１１１に対して着脱自在に分割してなり、ハウジング本体１１１に、３つのエアゾール缶１０を装填する装填口Ａが形成されている。かかる構成によれば、蓋体１１３を取り外し、装填口Ａからエアゾール缶１０を出し入れするだけでエアゾール缶１０の取り替えを容易に行うことができる。なお、本形態では、底部１１３の中心に、ハウジング本体１１１内のエアゾール缶１０を保持固定するための突起１１３ｐが設けられている。
【００４２】
さらに本形態では、ハウジング本体１１０の底部側外周に３つの凸部１１４を設けると共に、底部１１３の内側にハウジング本体１１０の凸部１１４それぞれと着脱自在に嵌合する凹部１１５を設けて底部１１３とハウジング本体１１１との相互間を着脱自在にアンダーカット嵌合させてなる。かかる構成によれば、ハウジング本体１１１とその底部１１３との着脱を安価に実現できる。なお、アンダーカット嵌合させる位置は少なくとも１ヶ所であればよく、ハウジング本体１１０の底部側外周に凹部を設けると共に、底部１１３の内側にハウジング本体１１０の凹部と着脱自在に嵌合する凸部を設けても、或いは嵌合する両者を凸部として構成してもよい。また本形態では、底部１１３がハウジング本体１１１に外部嵌合しているが、ハウジング本体１１１が底部１１３に外部嵌合してもよい。
【００４３】
次に図３（ａ），（ｂ）はそれぞれ、本発明の第２の形態であるエアゾール缶収納ケース２００を示す上面図及びそのケース２００を側面から示す要部断面図であり、図４（ａ），（ｂ）はそれぞれ、後述のハウジング本体２１１の下面図および底部２１３の上面図である。なお、本形態において、第１の形態と同一の部分は、同一の符号をもってその説明を省略する。
【００４４】
ケース２００は、スパウト１３を取り付けた３つのエアゾール缶１０を収納するハウジング２１０を備え、各エアゾール容器１０をハウジングの軸線Ｏ周りに沿って配列してこれら容器１０をその胴体部分１１まで取り込むハウジング本体２１１と、このハウジング本体２１１に繋がり各スパウト１３をその先端を除いて取り囲むサイドカバー２１２とを備える。
【００４５】
サイドカバー２１２は、ハウジング本体２１１に第１の段差部２１２ａを介して繋がる第１の側壁２１２ｆ1と、この第１の側壁２１２ｆ1から第２の段差部２１２ｂを介して繋がる第２の側壁２１２ｆ2と、この第２の側壁２１２ｆ2に繋がる天面２１２ｃからなり、天面２１２ｃに、スパウト１３の射出口１３ａを外部に開放してハウジング軸線Ｏに向かって延びる楕円形の開口Ａ2がそれぞれ形成されている。
【００４６】
またサイドカバー２１２にも、各スパウト１３の側面を選択的に押圧傾倒させて該スパウト１３の先端から内容物を射出させる３つの押しボタンＢ2を設けてなる。この押しボタンＢ2は、開口Ａ2から間隔を空けて第１の側壁２１２ｆ1と第２の段差部２１２ｂとを繋ぐ縁部２１２ｅまで延びる２つのスリットＳを形成し、これらスリットＳの相互間に、縁部（基部）２１２ｅを介してサイドカバー２１２に一体に繋がる弾性片からなる作動部Ｂ2(p)を構成する。この場合も、使用者が３つの押しボタンＢ2の作動部Ｂ2(p)を同時または選択的にスパウト１３の側面に向けて押えると、押しボタンＢ2が対応するスパウト１３の側面を押圧してステム１２を傾倒させるため、エアゾール缶１０をハウジング２１０から取り出すことなく、スパウト１３の先端から開口Ａ2を経て使用者が要求する内容物を射出させることができる。
【００４７】
即ちケース２００も、スパウト１３を取り付けた３つのエアゾール缶１０を該容器１０の胴体部分１１まで取り入れるハウジング本体２１１に繋がり各スパウト１３をその先端を除いて取り囲むサイドカバー２１２を備えるから、３つのエアゾール缶１０をいっしょに携帯することができる。また、ケース２００は、サイドカバー２１２に、各スパウト１３の側面を同時または選択的に押圧、傾倒させて該スパウト１３の先端から内容物を射出させる３つの押しボタンＢ2を備えるから、個々のエアゾール缶１０をハウジング２１０に収納したまま複雑な操作を必要とせずに使用できる。さらに、ケース２００は、スパウト１３をハウジング２１０から露出させるための構造が不要であるため、ケース２００を構成する各パーツの金型構造も簡素化され、製造コストの低減を図ることができる。
【００４８】
そしてケース２００は、特に、開口Ａ2からサイドカバー２１２に間隔を空けて２つのスリットＳを形成し、これらスリットＳの相互間に、縁部２１２ｅを介してサイドカバー２１２に一体に繋がる弾性片を押しボタンＢ2としたから、ケース２００を構成するパーツを最小限に抑えると共に、各パーツの金型構造をさらに簡素できるため、製造コストのさらなる低減が図れる。
【００４９】
さらに本形態では、押しボタンＢ2が、図３（ｂ），図４（ａ）に示す如く、その縁部２１２ｅの裏側を切り欠いて該縁部２１２ｅに、スパウト１３の側面への押圧を補助する薄肉部Ｔを備えるから、エアゾール缶１０から内容物を射出させるための操作を楽に行うことができる。
【００５０】
加えて本形態は、ハウジング本体２１１の底部２１３をハウジング本体２１１に対して分割して、底部２１３とハウジング本体２１１との相互間を着脱自在に摩擦嵌合させてなる。かかる構成によれば、ハウジング本体２１１とその底部２１３との着脱をさらに安価に実現できる。なお本形態では、底部２１３とハウジング本体２１１とをハウジング軸線Ｏに対して位置決めするため、ハウジング本体２１１の外側には、底部２１３の縁部２１３ｅと接触するフランジ２１１ｆが一体に設けられ、底部２１３の内部には、ハウジング本体２１１の末端２１１ｅと接触する３つのリブ２１３ｒが設けられている。また本形態も、底部２１３がハウジング本体２１１に外部嵌合しているが、ハウジング本体２１１が底部２１３に外部嵌合してもよい。
【００５１】
図５は、本発明の第２形態の変形例である第３の形態を側面から示す要部断面図であり、上記第２形態と同一の部分は、同一の符号をもってその説明を省略する。なお、図５では、説明を容易にするため、ハウジング２１０に取り付けるキャップを省略している。
【００５２】
上記ケース２００は、ハウジング２１０がスパウト１３を取り付けた１つのエアゾール缶１０を収納するものであり、ハウジング本体２１１に繋がるサイドカバー２１２に、スパウト１３の側面を選択的に押圧傾倒させて該スパウト１３の先端から内容物を射出させる３つの押しボタンＢ3を設けてなる作動部Ｂ3(p)を構成する。この押しボタンＢ3は、開口Ａ2から間隔を空けて第１の段差部２１２ａと第１の側壁２１２ｆ1と繋ぐ根元部分（基部）２１２ｒまで延びる２つのスリットＳを形成し、これらスリットＳの相互間に、サイドカバー２１２に根元部分２１２ｒを介して一体に繋がる弾性片からなる。この場合も、使用者が押しボタンＢ3をスパウト１３の側面に向けて押えると、押しボタンＢ3の作動部Ｂ3(p)がスパウト１３の側面を押圧してステム１２を傾倒させるため、エアゾール缶１０をハウジング２１０から取り出すことなく、スパウト１３の先端から開口Ａ2を経て使用者が要求する内容物を射出させることができる。
【００５３】
次に図６（ａ），（ｂ）はそれぞれ、本発明の第４の形態であるエアゾール缶収納ケース３００を示す上面図およびエアゾール缶収納ケース３００を側面から示す要部断面図である。なお、本形態において、第１〜３の形態と同一の部分は、同一の符号をもってその説明を省略する。
【００５４】
ケース３００は、スパウト１３を取り付けた３つのエアゾール缶１０を収納するハウジング３１０を備え、各エアゾール容器１０をハウジングの軸線Ｏ周りに沿って配列してこれら容器１０をその胴体部分１１まで取り込むハウジング本体３１１と、このハウジング本体３１１に繋がり各スパウト１３をその先端を除いて取り囲むサイドカバー３１２とを備える。
【００５５】
サイドカバー３１２は、ハウジング本体３１１に第１の段差部３１２ａを介して繋がる第１の側壁３１２ｆ1と、この第１の側壁３１２ｆ1から第２の段差部３１２ｂを介して繋がる第２の側壁３１２ｆ2と、この第２の側壁３１２ｆ2に繋がる天面３１２ｃからなり、天面３１２ｃに、スパウト１３の射出口１３ａを外部に開放してハウジング軸線Ｏに向かって延びる楕円形の開口Ａ3がそれぞれ形成されている。押しボタンＢ4は、開口Ａ3から間隔を空けて第１の段差部３１２ａと第１の側壁３１２ｆ1と繋ぐ根元部分（基部）３１２ｒまで延びる２つのスリットＳを形成し、これらスリットＳの相互間に、サイドカバー３１２に根元部分３１２ｒを介して一体に繋がる弾性片からなる作動部Ｂ4(p)を構成する。
【００５６】
特に本形態では、サイドカバー３１２をハウジング本体３１１に対して着脱自在に分割してなり、ハウジング本体３１１の上端に、３つのエアゾール缶１０を装填する装填口Ａが形成されている。かかる構成によれば、サイドカバー３１２を取り外し、装填口Ａからエアゾール缶１０を出し入れするだけでエアゾール缶１０の取り替えを容易に行うことができる。
【００５７】
さらに本形態では、ハウジング本体３１０の内側に少なくとも１つの凹部３１４を設けると共に、サイドカバー３１２の外側にハウジング本体３１０の凹部３１４と着脱自在に嵌合する凸部３１５を設けてサイドカバー３１２とハウジング本体３１１との相互間を着脱自在にアンダーカット嵌合させてなるから、ハウジング本体３１１とサイドカバー３１２との着脱を安価に実現できる。なお、アンダーカット嵌合させる位置は少なくとも１ヶ所であればよく、ハウジング本体３１０の内側に凸部を設けると共に、サイドカバー３１２の外側にハウジング本体３１０の凸部と着脱自在に嵌合する凹部を設けても、或いは嵌合する両者を凸部として構成してもよい。また本形態も、サイドカバー３１２がハウジング本体３１１に内部嵌合しているが、ハウジング本体３１１がサイドカバー３１２に内部嵌合してもよい。
【００５８】
さらに図７は、本発明の第４形態の変形例として、ハウジング３１０がスパウト１３を取り付けた１つのエアゾール缶１０を収納する第５形態のケースを側面から示す要部断面図であり、上記第１〜４形態と同一の部分は、同一の符号をもってその説明を省略する。
【００５９】
本形態は、サイドカバー３１２をハウジング本体３１１に対して分割して、サイドカバー３１２とハウジング本体３１１との相互間を着脱自在に摩擦嵌合させてなるから、サイドカバー３１２とハウジング本体３１１との着脱をさらに安価に実現できる。なお本形態も、サイドカバー３１２がハウジング本体３１１に内部嵌合しているが、ハウジング本体３１１がサイドカバー３１２に内部嵌合してもよい。
【００６０】
上記第１〜５形態は、ハウジング１１０〜３１０内に形成した収納空間において複数のエアゾール缶１０を収納する場合、各エアゾール缶１０がハウジング軸線Ｏ周りに沿う配列になる。かかる構成によれば、携帯時に大きな収納スペースを必要としないため携帯性に優れ、またハウジング本体１１１〜３１１を握って使用できるため使い勝手がよい。
【００６１】
次に、図８（ａ），（ｂ）はそれぞれ、本発明の第６の形態であるエアゾール缶収納ケース４００を側面から示す要部断面図及びそのＸ−Ｘ断面図であり、また図９（ａ），（ｂ）はそれぞれ、エアゾール缶収納ケース４００の上面図及び後述する押しボタンＢ5の作用を説明する要部断面図である。
【００６２】
ケース４００のハウジング４１０は、３つのエアゾール缶１０を互いに隣接させた直列配置にしてこれら容器１０をその胴体部分１１まで取り込むハウジング本体４１１と、このハウジング本体４１１に繋がり各スパウト１３をその先端を除いて取り囲むサイドカバー４１２とを備える。サイドカバー４１２は、ハウジング本体４１１に繋がる第１の側壁４１２ｆ1と、この第１の側壁４１２ｆ1に繋がる天面４１２ａからなり、天面４１２ａに、スパウト１３の先端１３ａを外部に開放してエアゾール缶１０の配列と直交する向きに延びる楕円形の開口Ａ4が形成されている。
【００６３】
サイドカバー４１２に設けた３つの押しボタンＢ5は、開口Ａ4から間隔を空けて第１の側壁４１２ｆ1とハウジング本体４１１とを繋ぐ根元部分（基部）４１２ｅまで延びる２つのスリットＳの相互間に、根元部分４１２ｅを介してサイドカバー４１２に一体に繋がる弾性片からなり、その先端部分にスパウト１３に向かって突出する突起Ｂ5(p)が形成されている。この場合、使用者が３つの押しボタンＢ5を同時または選択的にスパウト１３の側面に向けて押えると、押しボタンＢ5の突起Ｂ5(p)が対応するスパウト１３の側面を押圧してステム１２を傾倒させるため、エアゾール缶１０をハウジング４１０から取り出すことなく、スパウト１３の先端から開口Ａ4を経て使用者が要求する内容物を射出させることができる。
【００６４】
また本形態は、ハウジング本体４１１の底部４１３をハウジング本体４１１に対して分割して、底部４１３とハウジング本体４１１との相互間を着脱自在に連結するヒンジ部Ｈを設けてなる。かかる構成によれば、ハウジング本体４１１から底部４１３を取り外す際に底部４１３の紛失を防止することができる。
【００６５】
なお、本形態では、ハウジング本体４１１の内部に各エアゾール缶１０を保持固定するため、４つのリブ４１１ｒが形成されており、また、各エアゾール缶１０をハウジング軸線Ｏに対して位置決めするため、底部４１３の内部には、図８に示す如く、エアゾール缶１０の底部と接触する３つのリブ４１３ｒが設けられている。また押しボタンＢ4は、図８（ａ）に示す如く、その根元部分４１２ｅの裏側を切り欠いて該根元部分４１２ｅに、スパウト１３の側面への押圧を補助する薄肉部Ｔを備える。
【００６６】
さらに本形態は、ハウジング４１０内に形成した収納空間において各エアゾール缶１０を互いに隣接させた直列配置になるから、ハウジング本体４１１に印刷面を大きく取ることができるため加飾に優れ、また複数のケース４００を携帯してもかさばらないため携帯性に優れる。
【００６７】
上述したところは、本発明の好適な形態を示したに過ぎず、様々な変更が可能である。例えば、ケース内に収納するエアゾール缶の個数は、３つに限らず、２つ以上あればよい。また図１〜９に開示した構成はそれぞれ、ケースの構造や用途等に応じて組み合わせることができる。
【図面の簡単な説明】
【００６８】
【図１】本発明の第１の形態であるエアゾール缶収納ケースを示す斜視分解図である。
【図２】同形態のケースを側面から示す要部断面図である。
【図３】（ａ），（ｂ）はそれぞれ、本発明の第２の形態であるエアゾール缶収納ケースを示す上面図及びそのケースを側面から示す要部断面図である。
【図４】（ａ），（ｂ）はそれぞれ、同形態のハウジング本体の下面図および底部の上面図である。
【図５】本発明の第３形態を側面から示す要部断面図である。
【図６】（ａ），（ｂ）はそれぞれ、本発明の第４の形態であるエアゾール缶収納ケースを示す上面図およびそのケースを側面から示す要部断面図である。
【図７】本発明の第５形態を側面から示す要部断面図である。
【図８】（ａ），（ｂ）はそれぞれ、本発明の第６の形態であるエアゾール缶収納ケースを側面から示す要部断面図及びそのＸ−Ｘ断面図である。
【図９】（ａ），（ｂ）はそれぞれ、同形態のケースの上面図及び押しボタンの作用を説明する要部断面図である。
【符号の説明】
【００６９】
10  エアゾール缶
11  胴体部分
12  ステム
13  スパウト
100  エアゾール缶収納ケース
110  ハウジング
111  ハウジング本体
112  サイドカバー
112a  第１の段差部
112b  第２の段差部
112c  天面
112f1  第１の側壁
112f2  第２の側壁
113  ハウジング底部
Ｂ1  押圧部材
200  エアゾール缶収納ケース
210  ハウジング
211  ハウジング本体
212  サイドカバー
212a  第１の段差部
212b  第２の段差部
212c  天面
212r  根元部分（基部）
212f1  第１の側壁
212f2  第２の側壁
213  ハウジング底部
Ｂ2  弾性片
Ｓ  スリット
Ｈ  ヒンジ部
【図１】
2005132464.tif 000003
【図２】
2005132464.tif 000004
【図３】
2005132464.tif 000005
【図４】
2005132464.tif 000006
【図５】
2005132464.tif 000007
【図６】
2005132464.tif 000008
【図７】
2005132464.tif 000009
【図８】
2005132464.tif 000010
【図９】
2005132464.tif 000011